(57)【要約】  【課題】  補助電源スイッチをＯＦＦしても、複数のカメラによるライブ画像の多画面監視等を行うことができる監視用画像記録装置を提供する。  【解決手段】  監視画像データを圧縮伸張する画像データ圧縮伸張部１０４と、圧縮された画像データを記録するＨＤＤ１０７と、画像データ圧縮伸張部１０４およびＨＤＤ１０７を制御する制御部１３０とを備え、制御部１３０がＨＤＤ１０７への電源供給を制御するＨＤＤ電源供給制御部２００を有する。【選択図】  図１ 
2005094118.tif 000002
【特許請求の範囲】
【請求項１】
監視画像データを圧縮する画像データ圧縮手段と、前記画像データ圧縮手段により圧縮された画像データを記録する記録手段と、前記画像データ圧縮手段および記録手段を制御する制御手段とを備え、前記制御手段が前記記録手段への電源供給を制御する記録手段電源制御部を有することを特徴とする監視用画像記録装置。
【請求項２】
前記記録手段がハードディスクドライブであることを特徴とする請求項１に記載の監視用画像記録装置。
【請求項３】
前記記録手段電源制御部は、前記監視用画像記録装置の電源が供給された後、予め定められた時間後に前記記録手段への電源供給を行う電源供給時間設定手段を有することを特徴とする請求項１または２に記載の監視用画像記録装置。
【請求項４】
前記記録手段電源制御部は、前記監視用画像記録装置への電源供給回数を計数する電源供給回数計数手段を有することを特徴とする請求項１乃至３のいずれかに記載の監視用画像記録装置。
【請求項５】
前記記録手段電源制御部は、前記記録手段への電源供給を停止した場合に、前記記録手段の動作が停止するまでの時間を算出する動作停止時間算出手段を有することを特徴とする請求項１乃至４のいずれかに記載の監視用画像記録装置。
【請求項６】
前記監視用画像記録装置の外部に前記画像データを記録する外部記録手段を有し、前記記録手段電源制御部は前記外部記録手段への電源供給を制御する外部記録手段の電源供給制御手段を有することを特徴とする請求項１乃至５のいずれかに記載の監視用画像記録装置。
【発明の詳細な説明】
【技術分野】
【０００１】
本発明は、監視用画像データを記録する監視用画像記録装置に関するものである。
【背景技術】
【０００２】
従来の監視用画像記録装置としては、記録手段であるハードディスクドライブ（以下、ＨＤＤと記す）のデータ破壊を防止するために、装置のＡＣ電源ＯＦＦ時に、まずハードディスクへのアクセスを終了させ、装置を動作状態からメインボード内のマイコン部等が中心に動作するスタンバイ状態としてから、装置の電源をＯＦＦするものがある。
【０００３】
例えば、監視用画像記録装置のＡＣ電源をＯＮまたはＯＦＦする主電源スイッチと、装置のスタンバイ状態と動作状態とを切り替える電源スイッチ（本発明では補助電源スイッチと記載する）とを備えた監視用画像記録装置が知られている（例えば特許文献１参照）。
【０００４】
また、上記監視用画像記録装置は、装置に複数のカメラを接続し、モニター等に複数のカメラライブ画像を用いた多画面監視を行ったり、ズーム、パンおよびチルト等のカメラコントロールを行ったり、監視中のカメラ映像信号が途切れるという装置の異常を知らせる通知を行ったりして使用される場合が多い。
【特許文献１】特開２００１−８４０６３号公報（第３−４頁、第１図参照）
【発明の開示】
【発明が解決しようとする課題】
【０００５】
しかしながら、従来の監視用画像記録装置においては、装置を使用しないときには、
主電源スイッチがＯＮの状態で、補助電源スイッチをＯＦＦすることにより、装置を動作状態からスタンバイ状態としていたので、マイコン部等用の電源供給は維持されたままであるが、装置の主要部であるカメラ映像表示部、カメラ制御回路、通信部、およびハードディスクドライブの電源はＯＦＦとなっていた。ところが、装置のハードディスクドライブは使用しないが、マイコン部、カメラ映像表示部、カメラ制御回路および通信部を使用する場合には、上記補助電源スイッチがＯＦＦであるため、複数のカメラによる監視用画像記録装置の重要な機能であるライブ画像による多画面監視や、カメラコントロール、およびカメラ映像信号がとぎれるという装置異常の通知等を行うことができないという問題があった。
【０００６】
本発明は、このような従来の問題を解決するためになされたもので、補助電源スイッチをＯＦＦしても、装置の重要な機能であるライブ画像による多画面監視等を行うことができる監視用画像記録装置を提供することを目的とする。
【課題を解決するための手段】
【０００７】
本発明の監視用画像記録装置は、監視画像データを圧縮する画像データ圧縮手段と、前記画像データ圧縮手段により圧縮された画像データを記録する記録手段と、前記画像データ圧縮手段および記録手段を制御する制御手段とを備え、前記制御手段が前記記録手段への電源供給を制御する記録手段電源制御部とを備えたことを特徴とする構成を有するものである。
【０００８】
この構成により、補助電源スイッチをＯＦＦしても、複数のカメラによる監視用画像記
録装置の重要な機能であるライブ画像による多画面監視、カメラコントロール機能、およびカメラ映像信号がとぎれたりする装置異常の通知等を行うことができる。
【０００９】
例えば、監視用画像記録装置の設置時に振動衝撃で故障し易い記録手段の電源を切った状態で、カメラ映像やモニタ表示機能等の動作を確認することができる。
【００１０】
また、本発明の監視用画像記録装置は、前記記録手段がハードディスクドライブであることを特徴とする構成を有するものである。
【００１１】
この構成により、監視用画像記録装置の設置時に振動衝撃で故障し易いＨＤＤの電源を切った状態で、カメラ映像やモニタ表示機能等の動作を確認することができる。
【００１２】
さらに、本発明の監視用画像記録装置は、前記記録手段電源制御部は、前記監視用画像記録装置の電源が供給された後、予め定められた時間後に前記記録手段への電源供給を行う電源供給時間設定手段を備えたことを特徴とする構成を有するものである。
【００１３】
この構成により、監視用画像記録装置の設置時の機器の接続の確認の後、例えばラックに設置された後に自動的にＨＤＤが起動され録画運用を開始することができ、人間の操作忘れによる運用ミスを回避できる。
【００１４】
さらに、本発明の監視用画像記録装置は、前記記録手段電源制御部は、前記監視用画像記録装置への電源供給回数を計数する電源供給回数計数手段を備えたことを特徴とする構成を有するものである。
【００１５】
この構成により、監視用画像記録装置への電源入り切りの回数で前記記録手段電源供給時間を設定できるため、不意の停電後の自動復帰において録画が出来ない時間を最短にできる。
【００１６】
さらに、本発明の監視用画像記録装置は、前記記録手段電源制御部は、前記記録手段への電源供給を停止した場合に、前記記録手段の動作が停止するまでの時間を算出する動作停止時間算出手段を備えたことを特徴とする構成を有するものである。
【００１７】
この構成により、記録手段に記録された画像データを外部に取り出すために、記録手段それ自体を取り外す必要が生じた場合でも、記録手段の動作が終了するまでの時間を知ることができ、安全に記録手段を取りはずすことができる。
【００１８】
さらに、本発明の監視用画像記録装置は、前記監視用画像記録装置の外部に前記画像データを記録する外部記録手段を有し、前記記録手段電源制御部は前記外部記録手段への電源供給を制御する外部記録手段の電源供給制御手段を備えたことを特徴とする構成を有するものである。
【００１９】
この構成により、外部記録手段への記録ができるとともに、前記記録手段の設置、点検および修理等ができる。
【発明の効果】
【００２０】
本発明は、記録手段への電源供給を制御できる記録手段電源制御部を設けることにより、補助電源スイッチをＯＦＦしても、複数のカメラによる監視用画像記録装置の重要な機能であるライブ画像による多画面監視、カメラコントロール機能、およびカメラ映像信号がとぎれたりする装置異常の通知等を行うことができるという効果を有する監視用画像記録装置を提供することができるものである。
【発明を実施するための最良の形態】
【００２１】
以下、本発明の実施の形態の監視用画像記録装置について、図面を用いて説明する。
【００２２】
本発明の第１の実施の形態の監視用画像記録装置のブロック図を図１に示す。
【００２３】
図１に示すように、本発明の実施の形態における監視用画像記録装置は、記録系回路と、再生系回路と、記録系回路および再生系回路の制御を行う制御回路とを備えている。記録系回路は、撮像手段である複数のカメラ１０１ａ〜１０１ｎと、複数のカメラから一のカメラを選択する入カカメラ選択部１０２と、選択されたカメラ映像を入力するとともに時刻その他の付帯情報を付加する画像データ入力部１０３と、画像データを記録や通信に適したサイズに圧縮したり、圧縮されたデータを元の画像データに伸長したりする機能を有する画像データ圧縮伸長部１０４と、圧縮データを記録媒体に対する読み書きの制御、および通信部への送出等を制御するデータフロー制御部１０５と、図示しない補助記録媒体との間でデータを読み書きするためのインターフェースを行うデータＩ／Ｆ部１０６と、主記録媒体としての記録手段であるＨＤＤ１０７とを備えている。ここで、カメラ１０１ａ〜１０１ｎには、監視用のビデオカメラや夜間の撮影に適した超高感度ビデオカメラ等が使用される。
【００２４】
また、再生系回路はデータフロー制御部１０５に接続されて画像データ圧縮伸長部１０４と、ライブ画像や再生画像等の表示を制御する表示制御部１２０と、画像表示手段であるモニタテレビ１２１とを備えている。
【００２５】
また、制御回路は装置全体を制御する制御部１３０と、外部の機器と通信を行う通信部１３１と、装置全体のＡＣ電源をＯＮまたはＯＦＦする主電源スイッチ１３２と、ＡＣ電源から＋５Ｖおよび＋１２Ｖ等のＤＣ電源への変換を行い各回路部に電源を供給する電源ユニット１３３と、ＨＤＤ１０７への電源供給をＯＮまたはＯＦＦする記録手段電源制御部であるＨＤＤ電源制御部１３４と、ＨＤＤ１０７への電源をＯＮまたはＯＦＦできる補助電源スイッチ１３５とを備えている。
【００２６】
ＨＤＤ電源制御部１３４は、ＨＤＤ１０７への電源の供給をＯＮまたはＯＦＦするＨＤＤ電源供給制御部２００と、主電源スイッチ１３２のＯＮの後、所定の時間経過後にＨＤＤ１０７への電源供給を行うための電源供給時間設定部２０１と、装置の設置後に、主電源スイッチ１３２のＯＮまたはＯＦＦを行った回数を計数する電源供給回数計数部２０２と、ＨＤＤ電源供給制御部２００がＨＤＤ１０７への電源供給を停止してからハードディスクの回転が完全に停止するまでの時間を算出しモニタテレビ１２１に表示させる動作停止時間算出部２０３とを備えている。
【００２７】
なお、監視用画像記録装置は、この他にも所定の記録指示または再生指示を行う、図示しない操作部を備えている。
【００２８】
次に、上記監視用画像記録装置の動作について説明する。
【００２９】
カメラ１０１ａ〜１０１ｎで撮影された映像信号は、入カカメラ選択部１０２へ入力され、録画対象のカメラやライブ表示対象のカメラが選択される。ここで選択されたカメラの映像信号は、画像データ入力部１０３へと入力され、映像信号が入力されるとともに映像信号に時刻やタイトルその他の付帯情報が付加される。更に、画像データ圧縮伸長部１０４に入力されて圧縮された後、データフロー制御部１０５によって、ＨＤＤ１０７に書き込まれたり、ネットワーク通信部１３１を介して遠隔地に送信されたりする。
【００３０】
画像データ圧縮伸長部１０４における圧縮方法としては、静止画圧縮であるJoint Photographic Experts Group（ＪＰＥＧ）方式や、動画圧縮である Moving Picture Experts
Group（ＭＰＥＧ）方式等が採用されるが、これらの圧縮方式に限られない。また、図１では表示制御部１２０が画像データ圧縮伸長部１０４に接続されているが、ライブ画像の表示を行う場合には、画像データは圧縮されることなく表示される。
【００３１】
また、監視画像データの再生を行う場合には、ＨＤＤ１０７や通信部１３１を介して接続されるとともに監視用画像記録装置の外部に増設された図示しない外部ＨＤＤから圧縮されたデータが読み出されて、画像データ圧縮伸長処理部１０４で伸長処理をされ、表示制御部１２０を介してモニタテレビ１２１上に表示される。
【００３２】
制御部１３０は、ＨＤＤ電源供給制御部２００を制御することが可能であるため、必要に応じて任意のタイミングでＨＤＤへの電源供給を入り切りできる。
【００３３】
ＨＤＤ電源制御部１３４は、装置の主要機能であるカメラ映像表示部、カメラ制御回路、および通信部への電源は供給したまま、ＨＤＤ１０７への電源供給を入りまたは切りすることができるため、カメラ１０１ａ〜１０１ｎからの映像の中から複数の監視画像をライブ画像で多画面で表示させる多画面監視、ビデオカメラ１０１ａ〜１０１ｎへの左右上下へのパン、チルトおよびズーム操作等のカメラコントロール、および常時監視モードでもあるのにかかわらず、カメラ映像信号がとぎれるという装置異常の通知等を行うことができる。言い換えると、ＨＤＤ１０７へのアクセスを必要とする録画または再生以外の動作はすべて行うことができる。
【００３４】
さて、一般的に、ＨＤＤは動作（ディスクの回転）中に外部から受ける振動衝撃に弱く、故障の原因となりやすいが、主電源スイッチ１３２が投入され制御部１３０が動作を開始しても、電源供給期間設定部２０１により予め設定された時間が経過するまで、制御部１３０はＨＤＤ１０７への電源供給をＯＮにしないように動作する。これにより、監視用画像記録装置を設置する際に、ＨＤＤ１０７に振動衝撃が加わっても、ＨＤＤ１０７の故障を回避することができる。
【００３５】
また、電源供給期間設定部２０１により設定される時間を変えることで、監視用画像記録装置の設置後に、停電等で主電源スイッチ１３２の電源が切れ、停電が回復して再投入された際に、録画開始タイミングを他のビデオカメラ等の電子機器と合わせることができ、カメラ映像が無いチャネルやカメラの初期化中の画像等の不要な録画を避けることができる。
【００３６】
更に、ＨＤＤ１０７の起動時には大きな電力を必要とするため、本装置を複数台使用する監視用画像記録システムにおいて、それぞれの装置のＨＤＤ１０７の起動時間をずらすことによって、停電後に各監視用画像記録装置が一斉に復帰する際のシステム消費電力を抑えることもできる。
【００３７】
一方、電源供給期間設定部２０１により設定される時間を０に設定する場合もある。これが有用なのは、監視用画像記録装置を設置後に主電源スイッチ１３２の電源の入り切りの回数を計数して、所定の値を超えたときであり、このときに先の時間を０秒に設定することによって、主電源スイッチ１３２の電源がＯＮとなってから録画開始までの時間を最短にして大事な場面の撮り逃しを最小限に抑えることができる。ここで、監視用画像記録装置内部のＨＤＤ１０７の残り記録容量がなくなったために、停止状態である場合に、制御部１３０が装置の外部に配備される図示しない外部ＨＤＤに録画を行うことで、監視画像データを録画できないということをなくすことができる。
【００３８】
制御部１３０は、ＨＤＤ電源供給制御部２００がＨＤＤ１０７への電源供給を停止してからＨＤＤ１０７のハードディスクの回転が完全に静止するまでの時間を、点検、整備の時等にモニタテレビ１２１に表示させることで、ユーザーに通知することができる。ＨＤＤ１０７の回転中に誤ってＨＤＤ１０７に衝撃を与え、故障の原因となるというトラブルを防ぐためである。
【００３９】
以上のように、本発明の第１の実施の形態の監視用画像記録装置によれば、ＨＤＤ１０７への電源供給をＯＮまたはＯＦＦするＨＤＤ電源制御部１３４を設けることにより、補助電源スイッチ１３５をＯＦＦしても、複数のカメラによる監視用画像記録装置の重要な機能であるライブ画像による多画面監視、カメラコントロール機能、およびカメラ映像信号がとぎるという装置異常の通知等を行うことができる。
【００４０】
次に、本発明の第２の実施の形態の監視用画像記録装置のブロック図を図２に示す。
【００４１】
図２において、第１の実施の形態と同様の構成要素については、同一番号を付し、その説明を省略する。
【００４２】
図２に示すように、本発明の第２の実施の形態による監視用画像記録装置が第１の実施の形態の監視用画像記録装置と異なる点は、外部の機器と通信を行うＵＳＢ−ＨＵＢ３０１と、縦列に複数の装置が接続されるポート３０２ａ〜３０２ｎと、ＩＤＥタイプのＨＤＤを使用するためにプロトコル変換を行うＵＳＢ−ＩＤＥ変換部３０３と、記録媒体であるＨＤＤ３０４と、装置を制御する制御部３０５と、ＨＤＤ電源供給制御部３０６と、ＨＤＤ３０４の電源の入り切りを制御部に指示する補助電源スイッチ３０７と、外部ＨＤＤの電源をＯＮまたはＯＦＦできる外部ＨＤＤ電源供給制御部３０８とを備えている点である。
【００４３】
次に、上記監視用画像記録装置の動作について説明する。
【００４４】
まず、監視用画像記録装置内のＨＤＤ３０４の記録容量がなくなった場合に、制御部３０５は、装置外部のポート３０２ｂ〜３０２ｎに接続された図示しない外部ＨＤＤまたは他の監視用画像記録装置のＨＤＤの電源をＯＮする制御信号を出力し、この制御信号は通信部１３１を経て、ＵＳＢ−ＨＵＢ３０１へ伝送される。さらに、この制御信号はポート３０２ｂ〜３０２ｎを通じて所望の外部ＨＤＤへ伝達され、外部ＨＤＤの電源がＯＮされる。これにより、ＨＤＤ３０４では記録できない監視画像データを外部ＨＤＤへ記録することができる。
【００４５】
一方、記録残量のないＨＤＤ３０４については、制御部３０５が消費電力低減のためにＨＤＤ電源供給制御部３０６を通じて電源ＯＦＦする。電源スイッチ３０７はトグル式のスイッチであり、１度押すたびにＯＮとＯＦＦを繰り返し、現在の状況はモニタテレビ１２１に表示される。
【００４６】
逆に他の装置からＨＤＤ３０４への監視画像データの記録依頼がされた場合には、制御部３０５がＨＤＤ３０４の使用状態を判定し、記録または再生等の使用をしていなければ、ＵＳＢ−ＨＵＢ３０１、ポート３０２ａおよびＵＳＢ−ＩＤＥ変換部３０３を通じて、ＨＤＤ３０４に記録されるものとする。
【００４７】
ここで、補助電源スイッチ３０７は、例えば装置の前面パネルの内側等に配置され、容易に操作できない構成となっており、緊急にＨＤＤの電源を入り切りする場合や、監視用画像記録装置が正常に動作しておらず、通信によってもＨＤＤ電源を切ることができない場合等に、ＨＤＤ３０４の電源をＯＦＦすることができる。したがって、誤って補助電源
スイッチ３０７を操作してしまうことによる不用意な電源ＯＦＦを避けることができる。
【００４８】
以上のように本発明の第２の実施の形態の監視用画像記録装置によれば、外部機器と通信を行うＵＳＢ−ＨＵＢ３０１と、縦列に複数の装置が接続されるポート３０２ａ〜３０２ｎと、外部ＨＤＤの電源をＯＮまたはＯＦＦできる外部ＨＤＤ電源供給制御部３０８とを設けることにより、ＨＤＤ３０４では容量不足等により記録できない監視画像データを外部ＨＤＤへ記録することが可能となる。さらに、ＵＳＢポート３０２ｂ〜３０２ｎに接続された他の監視用画像記録装置のＨＤＤが使用されていなければ、前述の外部ＨＤＤに加えて、他の監視用画像記録装置のＨＤＤを使用することもできる。
【００４９】
なお、以上の説明では、電源スイッチ３０７をトグルスイッチで構成した例について説明したが、機械式スイッチでももちろん実施可能である。この場合は、監視用画像記録装置のＨＤＤ１０７またはＨＤＤ３０４の電源が、ＯＮまたはＯＦＦのいずれであるかという状態は機械式スイッチの設定に従うものとする。
【産業上の利用可能性】
【００５０】
以上のように、本発明にかかる監視用画像記録装置は、補助電源スイッチをＯＦＦしても、複数のカメラによる監視用画像記録装置の重要な機能であるライブ画像による多画面監視、カメラコントロール、およびカメラ映像信号がとぎれるという装置異常の通知等を行うことができるという効果を有し、監視用画像データを記録する監視用画像記録装置等として有用である。
【図面の簡単な説明】
【００５１】
【図１】本発明の第１の実施の形態の監視用画像記録装置を示すブロック図
【図２】本発明の第２の実施の形態の監視用画像記録装置を示すブロック図
【符号の説明】
【００５２】
１０１ａ〜１０１ｎ  カメラ
１０２  入力カメラ選択部
１０３  画像データ入力部
１０４  画像データ圧縮伸長部
１０５  データフロー制御部
１０６  データＩ／Ｆ部
１０７、３０４  ＨＤＤ
１２０  表示制御部
１２１  モニタテレビ
１３０、３０５  制御部（ＣＰＵ）
１３２  主電源スイッチ
１３３  電源ユニット
１３４  ＨＤＤ電源制御部
１３５、３０７  補助電源スイッチ
２００、３０６  ＨＤＤ電源供給制御部
２０１  電源供給時間設定部
２０２  供給回数判定部
２０３  動作終了時間算出部
３０１  ＵＳＢ―ＨＵＢ
３０２ａ〜３０２ｎ  ＵＳＢポート
３０３  ＵＳＢ―ＩＤＥ変換部
３０８  外部ＨＤＤ電源供給制御部
【図１】
2005094118.tif 000003
【図２】
2005094118.tif 000004